(57)【要約】      （修正有）【課題】異なる掛け板上で接合でき、取り外しと取付けの流暢性を改善し、フックの適用性を高めることができる、掛け板とフックとの接合構造を提供する。【解決手段】掛け板１０の使用に適し、本体２０と、フック３０とで構成され、本体に上部弾性片２６と下部弾性片とを新たに追加し、しかも上部弾性片と下部弾性片とを掛け板１０に当接させることにより、構造が単純化、取外しと取付けの容易さおよび利便性が改善され、異なる厚さの掛け板上で接合することができる。【選択図】図２
0003222028.tif 000002
【実用新案登録請求の範囲】
【請求項１】
掛け板の使用に適する掛け板とフックとの接合構造であって、
前記掛け板は、取付け面と、前記取付け面を貫通する第１取付け孔と第２取付け孔と、を有し、
前記第１取付け孔と前記第２取付け孔はそれぞれ第１孔縁と第２孔縁とを有し、
前記掛け板とフックとの接合構造は、本体を含み、
前記本体は、前記掛け板の第１取付け孔と第２取付け孔に掛設され、前記取付け面と対面する第１面と、前記第１面と反対する側の第２面と、前記第１面から凸設され且つ前記第１孔縁に当接することができる下掛け部と、前記第１面から凸設され且つ前記第２孔縁に当接することができる上掛け部と、を有し、
前記上掛け部には、弾性で、前記掛け板に当接することができる上部弾性片が延設され、
前記下掛け部には、弾性で、前記掛け板に当接することができる下部弾性片が延設されることを特徴とする、
掛け板とフックとの接合構造。
【請求項２】
前記本体は、前記第１面と前記第２面を貫通する挿入孔と、前記第１面から前記第２面に向かって凹設された挿入溝と、前記第２面に凸設され且つ前記挿入孔と前記挿入溝に位置する二つの相対する位置決めブロック部と、を有し、前記掛け板とフックとの接合構造は、前記挿入孔に交換可能に穿設されたフックをさらに含み、前記フックは、前記挿入溝に当接することができる係止端部と、前記係止端部と反対する側の吊り掛け端部と、前記係止端部と前記吊り掛け端部とを連結し、且つ２つの前記位置決めブロック部によって締め付けられる被締め付け部と、を有することを特徴とする請求項１に記載の掛け板とフックとの接合構造。
【請求項３】
前記吊り掛け端部は、円孔状、または上向きに湾曲された半円弧状を呈することを特徴とする請求項２に記載の掛け板とフックとの接合構造。
【請求項４】
前記本体には、前記第１面と前記第２面とを貫通する延伸孔が設けられ、前記延伸孔の外縁に一体的に形成された吊り掛け端部が延設されることを特徴とする請求項１に記載の掛け板とフックとの接合構造。
【請求項５】
前記本体の第１面には、２つの下掛け部と、前記第１面から突出し且つ前記下掛け部の上方にそれぞれ位置する２つの上掛け部とが凸設され、前記本体は、前記第１面と前記第２面とを貫通する第１挿入孔と第２挿入孔とを有し、前記掛け板とフックとの接合構造は、前記第１挿入孔と前記第２挿入孔にそれぞれ穿設された第１吊り掛けフックと第２吊り掛けフックとをさらに含むことを特徴とする請求項１に記載の掛け板とフックとの接合構造。
【考案の詳細な説明】
【技術分野】
【０００１】
本考案は接合構造に関し、特に掛け板とフックとの接合構造に関する。
【背景技術】
【０００２】
図１を参照されたい。一般的な収納構造は掛け板１と複数のフック２（図中には１個を示す）とからなり、前記掛け板１には複数の取付け孔３が設けられ、前記複数の取付け孔３は前記フック２の弾性片４を穿設するのに供し、これにより、前記フックは前記掛け板１に係止される。
【０００３】
従来の技術では、前記フック２の弾性片４を前記掛け板１の取付け孔３に取り付けることが可能である。しかしながら、このような取付け方式は操作が容易ではなく、その過程で時間と労力がかかる。前記弾性片４の着脱をスムーズに行うためには、前記フックの押圧部５を押圧しなければならないので、ユーザは着脱時に目安の根拠がなく、力を過大に加えた場合は、フック２が変形するか、または破断するという問題等がある。逆に、力を過小に加える場合は、前記フック２を前記掛け板１に確実に取り付けることができず、その着脱が困難になる。さらに前記フック２を前記掛け板１に取付けた場合や前記掛け板１から取外した場合でも、前記フック２の外面が損傷したり係止したりすることを引き起こすというデメリットがある。
【０００４】
さらに、前記フック２を前記掛け板１から取外す公知のステップでは、ユーザは最初に前記押圧部５を押圧し、次に前記フック２を下向きに押し、次にフ前記フック２を上向きに持ち上げることにより、前記掛け板１の取付け孔３から前記フック２を上手く取り外すことになる。前記の取外しステップは、相当な難度を有し且つ煩雑で面倒であり、労力と時間がかかるだけでなく、そのプロセスも滑らかではない。
【０００５】
その他、従来の前記フック２の弾性片４は、前記弾性片４に適合でき且つ掛け板１の厚さと丁度一致させるように係合する必要がある。このため、掛け板１の寸法が異なる場合、例えば、前記掛け板１の厚さが前記フック２の弾性片４が係合できる範囲より大きい場合、その係合を行うことができない。また、前記掛け板１の厚さが前記フック２の弾性片４が係合できる範囲より小さい場合、係合することはできるが、前記弾性片４が前記掛け板１の厚さに合わないことによって前記フック２が揺れるという問題が生じる。
したがって、従来は、この問題を解決するために、異なる掛け板１の厚さに応じた異なるフック２を製造していた。このため、コストが上昇し続け、各フック２を１サイズの掛け板１にしか対応させることができず、ユーザがいつでも前記フック２を異なる厚さの前記掛け板１の間で自由に交換することができなかった。
【考案の概要】
【考案が解決しようとする課題】
【０００６】
そこで、本考案の課題は、主に取外しと取付けが容易であり、異なる掛け板上で接合することができ、それによって取り外しと取付けの滑らかさを改善し、フックの適用性を高めことができる、掛け板とフックとの接合構造を提供することにある。
【課題を解決するための手段】
【０００７】
上記課題を解決するための本考案の掛け板とフックとの接合構造は、掛け板の使用に適する掛け板とフックとの接合構造であって、前記掛け板は、取付け面と、前記取付け面を貫通する第１取付け孔と第２取付け孔と、を有し、前記第１取付け孔と前記第２取付け孔はそれぞれ第１孔縁と第２孔縁とを有し、前記掛け板とフックとの接合構造は、本体を含み、前記本体は、前記掛け板の第１取付け孔と第２取付け孔に掛設され、前記取付け面と対面する第１面と、前記第１面と反対する側の第２面と、前記第１面から凸設され且つ前記第１孔縁に当接することができる下掛け部と、前記第１面から凸設され且つ前記第２孔縁に当接することができる上掛け部と、を有し、前記上掛け部には、弾性で、前記掛け板に当接することができる上部弾性片が延設され、前記下掛け部には、弾性で、前記掛け板に当接することができる下部弾性片が延設されることを特徴とする。
【０００８】
より好ましくは、前記本体は、前記第１面と前記第２面を貫通する挿入孔と、前記第１面から前記第２面に向かって凹設された挿入溝と、前記第２面に凸設され且つ前記挿入孔と前記挿入溝に位置する二つの相対する位置決めブロック部と、を有し、前記掛け板とフックとの接合構造は、前記挿入孔に交換可能に穿設されたフックをさらに含み、前記フックは、前記挿入溝に当接することができる係止端部と、前記係止端部と反対する側の吊り掛け端部と、前記係止端部と前記吊り掛け端部とを連結し、且つ２つの前記位置決めブロック部によって締め付けられる被締め付け部と、を有する。
【０００９】
より好ましくは、前記吊り掛け端部は、円孔状、または上向きに湾曲された半円弧状を呈する。
【００１０】
より好ましくは、前記上掛け部には、上部弾性片が延設され、前記下掛け部には、下部弾性片が延設される。
【００１１】
より好ましくは、前記本体には、前記第１面と前記第２面とを貫通する延伸孔が設けられ、前記延伸孔の外縁に一体的に形成された吊り掛け端部が延設される。
【００１２】
より好ましくは、前記本体の第１面には、２つの下掛け部と、前記第１面から突出し且つ前記下掛け部の上方にそれぞれ位置する２つの上掛け部とが凸設され、前記本体は、前記第１面と前記第２面とを貫通する第１挿入孔と第２挿入孔とを有し、前記掛け板とフックとの接合構造は、前記第１挿入孔と前記第２挿入孔にそれぞれ穿設された第１吊り掛けフックと第２吊り掛けフックとをさらに含む。
【考案の効果】
【００１３】
本考案は、掛け板とフックとの接合構造を提供し、本体に上部弾性片と下部弾性片とを新たに追加し、しかも上部弾性片と下部弾性片とを掛け板に当接させることにより、その構造が単純化され、且つ取外しと取付けの容易さおよび利便性が改善され、異なる厚さの掛け板上で接合することができる。
また、ユーザが取外しと取付けを行うとき、変形と破断などの問題を引き起こさず、故に取外しと取付けの作業を容易に行え、且つ部材の表面が損傷しない。同時に取外し時と取付け時の流暢性を向上させるという目的を達成し、且つ上部弾性片と下部弾性片とが弾性特性を有するため、上部弾性片が容易に取り外され、下部弾性片が調整されるという目的を達成することができる。
【図面の簡単な説明】
【００１４】
【図１】従来技術の概略説明図である。
【図２】本考案の第１実施形態の全体斜視図である。
【図３】本考案の第１実施形態の分解斜視図である。
【図４Ａ】本考案の第１実施形態の取付け時の説明図（１）である。
【図４Ｂ】本考案の第１実施形態の取付け時の説明図（２）である。
【図４Ｃ】本考案の第１実施形態の取付け時の説明図（３）である。
【図５】本考案の第２実施形態の全体斜視図である。
【図６】本考案の第３実施形態の全体斜視図である。
【考案を実施するための形態】
【００１５】
以下、図面を参照しつつ、本考案に係る掛け板とフックとの接合構造について具体的に説明する。
【００１６】
＜第１実施形態＞
本考案の第１実施形態に係る掛け板とフックとの接合構造は、図２乃至図４Ｃに示すように、掛け板１０の使用に適し、本体２０と、フック３０とで構成される。以下、１個の前記本体２０と前記フック３０との組合せ構造について説明するが、これらに限定されず、複数の本体２０と複数のフック３０でもよい。
【００１７】
前記掛け板１０はほぼ直方体を呈し、取付け面１１と、前記取付け面１１を貫通する第１取付け孔１２Ａと、前記取付け面１１を貫通し且つ前記第１取付け孔１２Ａの上方に位置する第２取付け孔１２Ｂとを有する。
前記第１取付け孔１２Ａと前記第２取付け孔１２Ｂは正方形を呈し、前記第１取付け孔１２Ａは第１孔縁１２１Ａを有し、前記第１孔縁１２１Ａは前記第１取付け孔１２Ａの下方に位置する。前記第２取付け孔１２Ｂは第２孔縁１２１Ｂを有し、前記第２孔縁１２１Ｂも第前記第２取付け孔１２Ｂの下方に位置する。
【００１８】
前記本体２０は前記掛け板１０の第１取付け孔１２Ａと第２取付け孔１２Ｂに掛設され、しかも前記取付け面１１と対面する第１面２１と、前記第１面２１と反対する側の第２面２２と、前記第１面２１から凸設され且つ前記第１孔縁１２１に当接することができる下掛け部２３と、前記下掛け部２３に延伸され、弾性を有し且つ前記掛け板１０に当接することができる下部弾性片２４と、前記第１面２１から凸設され且つ前記第２孔縁１２１Ｂに当接することができる上掛け部２５と、前記上掛け部２５に延設され、弾性を有し且つ前記掛け板１０に当接することができる上部弾性片２６と、前記第１面２１と前記第２面２２を貫通する挿入孔２７と、前記第１面２１から前記第２面２２に向かって凹設された二つの相対する第１挿入溝２８Ａと第２挿入溝２８Ｂと、前記第２面２２に凸設され且つ前記挿入孔２７の下方に位置する二つの相対する第１位置決めブロック部２９Ａと第２位置決めブロック部２９Ｂと、を有する。
前記下掛け部２３と前記上掛け部２５は略Ｌ字状を呈し、具体的には、前記本体２０を前記掛け板１０から取外すときには、ユーザが上部弾性片２６をこじ開けることにより、前記上掛け部２５と前記下部弾性片２４を前記掛け板１０の前記第１取付け孔１２Ａと前記第２取付け孔１２Ｂから離間させる。
【００１９】
前記フック３０は、棒鋼の折り曲げによって成型され、前記挿入孔２７に交換可能に穿設され、しかも前記第１挿入溝２８Ａに当接することができる第１係止端部３１Ａと、前記第２挿入溝２８Ｂに当接することができる第２係止端部３１Ｂと、前記第１係止端部３１Ａと前記第２係止端部３１Ｂと反対する側の吊り掛け端部３２と、前記第１係止端部３１Ａと前記吊り掛け端部３２とを連結し、且つ前記第１位置決めブロック部２９Ａによって締め付けられる第１被締め付け部３３Ａと、前記第２係止端部３１ＢＡと前記吊り掛け端部３２とを連結し、且つ前記第２位置決めブロック部２９Ｂによって締め付けられる第２被締め付け部３３Ｂ、を有する。
前記第１位置決めブロック部２９Ａと前記第２位置決めブロック部２９Ｂによって、前記第１被締め付け部３３Ａと前記第２被締め付け部３３Ｂをそれぞれ位置決めることで、全体の揺れを最小に低減させることができる。具体的には、吊り掛け端部３２は、円孔型が例示されるが、これに限定されるものではなく、上方に向かって半円弧状に湾曲しているものでもよい。そのうち、必要に応じて、前記フック３０を交換することができる設計変更によって、従来の単一タイプの構造を改善することができ、それによって本考案の用途をより柔軟でより広範囲に適用することができる。
【００２０】
以下、前記掛け板とフックとの接合構造の組み立てについて説明する。
図４Ａ乃至図４Ｃに示すように、第１ステップでは、まず、前記掛け板１０の第１取付け孔１２Ａに前記本体２０の下掛け部２３をを通過させると共に、前記第１取付け孔１２Ａの第１孔縁１２１Ａに当接させる。第２ステップでは、前記掛け板１０の第２取付け孔１２Ｂに前記本体２０の上掛け部２５を通過させると共に、前記第２取付け孔１２Ｂの第２孔縁１２１Ｂに当接させる。第３ステップでは、このとき、前記上部弾性片２６と前記下部弾性片２４とが前記掛け板１０に当接することで位置決めと安定性の役割を果たすので、前記本体２０の移動や揺れが生じない。
従来の組み立て方法と比較すると、本考案の本体２０は構造が簡単で、且つ取外しと取付けの容易さ及び便利さを改善し、同時に取外し時と取付け時の流暢性を向上させるという目的を達成し、さらに様々なサイズの掛け板と異なる厚さに適している。
【００２１】
＜第２実施形態＞
図５は、本考案の好適な第２実施形態を示すものである。本実施形態の構成と作用・効果は、前述の第１実施形態と同一のものに関する説明を省略する。第１実施形態との相違点は、前記本体２０には、前記第１面２１と前記第２面２２とを貫通する延伸孔２００が設けられ、前記延伸孔２００は前記挿入孔２７の下方に位置し、前記延伸孔２００の下外縁に一体的に形成された吊り掛け端部２１０が延設されることにある。前記本体２０と前記吊り掛け端部２１０はプラスチック材質で形成されており、前記吊り掛け端部２１０の一体構造によって、製造と組み立て工程の単純化と、コストの削減を図ることができる。
【００２２】
＜第３実施形態＞
図６は、本考案の好適な第３実施形態を示すものである。本実施形態の構成と作用・効果は、前述の第１、２実施形態と同一のものに関する説明を省略する。
第１、２実施形態との相違点は、前記本体２０’の第１面２１’には、２つの下掛け部２３Ａ、２３Ｂと、前記第１面２１’から突出し且つ前記下掛け部２３Ａ、２３Ｂの上方にそれぞれ位置する２つの上掛け部２５Ａ、２５Ｂとが凸設され、そのうち、一方の前記下掛け部２３Ａは、下部弾性片２４Ａを有し、他方の前記下掛け部２３Ｂは、下部弾性片２４Ｂを有し、前記本体２０’は、前記第１面２１’と前記第２面２２’とを貫通する第１挿入孔２７Ａと第２挿入孔２７Ｂとを有し、前記掛け板とフックとの接合構造は、前記第１挿入孔２７Ａと前記第２挿入孔２７Ｂにそれぞれ穿設された第１吊り掛けフック３０Ａと第２吊り掛けフック３０Ｂとをさらに含むことにある。
そして、上記構成により、本考案の製造の多様化を実現し、ユーザの好みに応じて選択し、室内の住居環境に適合させることができ、上記と同様の効果も得られる。
【００２３】
以上は本考案の実施形態に係る前記掛け板とフックとの接合構造の各主要構成についての説明である。本考案の作用と効果については、以下に説明する。
本考案は構造が単純化され、且つ取外しと取付けの容易さおよび利便性が改善され、そして、ユーザが取外しと取付けを行うとき、変形と破断などの問題を引き起こすことはない。その結果、且つ部品の表面を損傷することなく、取外しと取付けの作業を容易に行え、同時に取外し時と取付け時の流暢性を向上させるという目的を達成し、且つ上部弾性片と下部弾性片とによって、フックを様々な厚さの掛け板に適合させることができる。
【符号の説明】
【００２４】
１  掛け板
２  フック
３  取付け孔
４  弾性片
５  押圧部
１０  掛け板
１１  取付け面
１２Ａ  第１取付け孔
１２１Ａ  第１孔縁
１２Ｂ  第２取付け孔
１２１Ｂ  第２孔縁
２０、２０’  本体
２１、２１’  第１面
２２、２２’  第２面
２３、２３Ａ、２３Ｂ  下掛け部
２４、２４Ａ、２４Ｂ  下部弾性片
２５、２５Ａ、２５Ｂ  上掛け部
２６  上部弾性片
２７、２７Ａ、２７Ｂ  挿入孔
２８Ａ  第１挿入溝
２８Ｂ  第２挿入溝
２９Ａ  第１位置決めブロック部
２９Ｂ  第２位置決めブロック部
２００  延伸孔
２１０  吊り掛け端部
３０  フック又は吊り掛けフック
３０Ａ  第１吊り掛けフック
３０Ｂ  第２吊り掛けフック
３１Ａ  第１係止端部
３１Ｂ  第２係止端部
３２  吊り掛け端部
３３Ａ  第１被締め付け部
３３Ｂ  第２被締め付け部
【図１】
0003222028.tif 000003
【図２】
0003222028.tif 000004
【図３】
0003222028.tif 000005
【図４Ａ】
0003222028.tif 000006
【図４Ｂ】
0003222028.tif 000007
【図４Ｃ】
0003222028.tif 000008
【図５】
0003222028.tif 000009
【図６】
0003222028.tif 000010